(57)【特許請求の範囲】
【請求項１】
視標を呈示して被検者の視力を検査する視力検査装置において、等比級数にて表される対比視標であって同一視力値段階のものが複数用意された視標の一つを選択的に呈示する視標呈示手段と、呈示視標に対する被検者の応答結果を入力する入力手段と、呈示視標に対する応答の正誤に基づいて次に呈示する視標を順次定めるプログラムを記憶する記憶手段と、該プログラムに従って前記視標呈示手段を制御する視標呈示制御手段と、ある視力値段階にて呈示した視標の正答率から被検者の視力値を求めるものであって、過半数（又は６０％以上）の正答が得られた第１視力値段階の正答率と過半数（又は６０％以上）の正答率が得られなかった前記第１視力値段階より１段高い第２視力値段階の正答率とから視力値を算出する演算手段と、を備えることを特徴とする視力検査装置。
【発明の詳細な説明】
【０００１】
【発明の属する技術分野】
本発明は、眼科医等で使用される視力検査装置に関する。
【０００２】
【従来技術】
被検者に視力値の異なる複数の視標を呈示し、それらの視標が判別できたか否かにより被検者の視力を求める視力検査装置が知られている。従来、この種の視力検査装置は一般的に小数視力を用いた視標にて視力検査を行っていた。
【０００３】
【発明が解決しようとする課題】
しかしながら、小数視力にて表された視標は、各視力段階における視標の大きさの間隔がそれぞれ異なり、正確な評価が行えなかった。すなわち、小数視力では、０．２から０．３に視力が向上した場合と、０．９から１．０に視力が向上した場合ではどちらも１段階の視力向上となる。しかしながら、視角で表した場合、０．２から０．３は１．５倍に相当するのに対し、０．９から１．０では１／０．９＝約１．１倍ということになるため、同じ評価をすることが難しい。
【０００４】
また、視力値の判定は同一視力値の視標が５つある場合、３つ以上の正答が得られる段階から視力値を決定していたため、評価が粗く、眼科医等での治療効果の確認には十分でなかった。
【０００５】
本発明は、上記従来技術の問題点に鑑み、より正確に、細かな評価を簡単に行える視力検査装置を提供することを技術課題とする。
【０００６】
【課題を解決するための手段】
上記課題を解決するために、本発明は以下のような構成を備えることを特徴とする。
【０００７】
（１）  視標を呈示して被検者の視力を検査する視力検査装置において、等比級数にて表される対比視標であって同一視力値段階のものが複数用意された視標の一つを選択的に呈示する視標呈示手段と、呈示視標に対する被検者の応答結果を入力する入力手段と、呈示視標に対する応答の正誤に基づいて次に呈示する視標を順次定めるプログラムを記憶する記憶手段と、該プログラムに従って前記視標呈示手段を制御する視標呈示制御手段と、ある視力値段階にて呈示した視標の正答率から被検者の視力値を求めるものであって、過半数（又は６０％以上）の正答が得られた第１視力値段階の正答率と過半数（又は６０％以上）の正答率が得られなかった前記第１視力値段階より１段高い第２視力値段階の正答率とから視力値を算出する演算手段と、を備えることを特徴とする。
【００１３】
【発明の実施の形態】
以下、本発明の実施の形態を図面に基づいて説明する。図１は本発明に係る視力検査装置の概観概略図を示す。
【００１４】
１は装置本体を示し、正面上部には反射防止膜が施されたガラス板からなる窓２が配置され、被検者はこの窓２を介して中央に視標を見る。窓２はガラス板に代えてフィルタを配置しても良い。装置本体１の内部は黒色に塗装されており、内部構造が見えにくくしている。
【００１５】
３は電源スイッチ、３ａは電源が投入されたことを点灯により知らせる表示ランプである。４は後述するワイヤレスのリモコン４０に対する光信号の送受信を行う送受信窓である。
【００１６】
次に、装置本体１の内部に配置される光学系を図２、図３に基づいて説明する。図２は装置本体１の右側面から見たときの光学系の透視図、図３は正面から見たときの光学系の透視図である。
【００１７】
Ｅは被検眼を示す。２０はガラス板からなる円盤状の視標ディスク板であり、その同一円周上には視力値視標等の多数の視力検査視標がクロム蒸着等により形成されている。視標ディスク板２０は視標ディスク板モータ２１により回転され、被検者に呈示する視標を切り替え配置する。２２は呈示視標の一部をマスクするためのマスク板であり、マスク板モータ２３により回転され、視標に所期する必要なマスクをかける。これら視標ディスク板２０とマスク板２２の詳細は後述する。
【００１８】
２４は検査視標を照明する照明用ランプ、２５はミラー、２６はビームスプリッタ、２７は凹面ミラーである。本形態での凹面ミラー２７は、被検眼と視力装置本体１の窓２との距離が０．９ｍのときに、視標と被検眼Ｅとの光学距離を５ｍの検査距離にするようにその焦点距離が設計されている。
【００１９】
照明ランプ２４により照明された検査視標の光束は、ミラー２５によって上方に反射され、ビームスプリッタ２６を透過した後、凹面ミラー２７で反射される。凹面ミラー２７で反射した視標光束はビームスプリッタ２６で反射され、窓２を介して被検眼Ｅに向かう。ビームスプリッタ２６は回転軸２８に取付けられており、モータ２９により回転軸２８が回転するとビームスプリッタ２６の傾斜角度が変えられる。これにより、ビームスプリッタ２６で反射する視標光束の上下方向の光路が変えられ、被検眼の高さ位置に合わせて視標光束を導くことができる。
【００２０】
３０は被検眼の高さ位置を検出する検出光学系であり、集光レンズ３１、２次元の位置検出素子３２を備え、窓２の左右両側の内部に設けられている。後述するリモコン４０の発光部から発せられる赤外光は、集光レンズ３１により位置検出素子３２に集光し、位置検出素子３２からの出力信号により被検眼の高さ位置が検出される（視標光の光路を被検眼の高さに合せる方法は、詳しくは特開平７−２３６６１２を参照されたい）。
【００２１】
次に、視標ディスク板２０の詳細を図４に示し、説明する。
【００２２】
従来の視力装置等に使用されるランドルト環等の視標は、小数視力値にて表示されていたが、本実施の形態で使用される視標は、最小分離閾の視角を常用対数にしたもの（等比級数で表される対比視力  logarithm of the minimum angle of resolution  以下LogMARとする。）を使用している。
【００２３】
従来の小数視力値は０．１、０．２〜０．８、０．９、１．０等で表されるように、視力値の段階が０．１の小数にて変化している。このため、０．２から０．３へ視力が向上した場合と、０．９から１．０へ視力が向上した場合とでは、どちらも１段階の視力向上とされている。しかしながら、視角で表すと前者が視角１．５倍に相当するのに対して、後者では1.0/0.9＝1.11倍相当ということとなるため、必ずしも視力評価が公正に行われているとは言い難い。
【００２４】
本実施形態にて使用されるLogMAR視標は、小数視力値１．０に対応するランドルト環の対数視力値を０とし、対数視力値−０．３〜＋１．４まで、０．１刻みにて形成されている。その結果、各視力値の段階（変化量）は同間隔（同量）となる。また一方で、これらLogMARによる視標の視力値表示は、被検者に分かり易いよう小数視力値に変換した値としている。
【００２５】
図４に示すように、視標ディスク板２０上には、LogMARのランドルト環チャート部５０が１３枚、LogMARのひらがなチャート部５１が５枚、レッド・グリーン検査や両眼バランス等に使用するチャート面５２が７枚の計２４枚のチャート部が同一円周上に設けられている。これらのチャート部が照明ランプ２４の照明光路に切換え配置され、窓２内に１つの画面として呈示される。
【００２６】
ランドルト環チャート部５０の詳細を図６に示し、説明する。なお、図６においては、説明の便宜上小さな視標（小数視力値にて０．２５〜２．０までのランドルト環）は拡大して描いてある。
【００２７】
チャート部５０ａ、５０ｂはともに小数視力値０．０４（対数視力値＋１．４）のランドルト環が、チャート部５０ｃ、５０ｄは小数視力値０．０５（対数視力値＋１．３）のランドルト環が各々一つずつ形成されている。チャート部５０ａ〜５０ｄに形成されるランドルト環は、これら４つのチャート同士でその切れ目方向が重複しないように、上下左右方向からそれぞれ選択されている。
【００２８】
チャート部５０ｅは小数視力値０．０６３（対数視力値＋１．２）のランドルト環が横に２つ並んで形成されている。チャート部５０ｆは小数視力値０．０８（対数視力値＋１．１）のランドルト環がチャート部５０ｅと同じように２つ並んで形成されている。また、これらチャート部５０ｅ、５０ｆに形成される計４つのランドルト環は切れ目方向が重複しないように、上下左右方向からそれぞれ選択されている。
【００２９】
チャート部５０ｇ〜５０ｉは小数視力値がそれぞれ０．１（対数視力値＋１．０）、０．１２５（対数視力値＋０．９）、０．１６（対数視力値＋０．８）のランドルト環がそれぞれのチャートに対して横に３つ並んで形成されている。
【００３０】
チャート部５０ｊ〜５０ｍは１つのチャート部に対し、視力値が３段階分のランドルト環が形成されている。さらにそのうちの１つの視力値に対して５個ずつランドルト環が形成されているため、１つのチャート部に対し合計１５個のランドルト環が形成されている。
【００３１】
具体的には、チャート部５０ｊには、小数視力値０．２、０．２５、０．３２（対数視力値＋０．７、＋０．６、＋０．５）の３種類が、チャート部５０ｋには、小数視力値０．４、０．５、０．６３（対数視力値＋０．４、＋０．３、＋０．２）の３種類が、チャート部５０ｌには、小数視力値０．７、０．８、１．０（対数視力値＋０．１、０）の３種類が、チャート部５０ｍには、小数視力値１．２５、１．６、２．０（−０．１、−０．２、−０．３）の３種類が、それぞれチャート上に形成されている。ここで小数視力値０．７に対応するランドルト環は、本実施形態で示すLogMAR視標ではないが、運転免許等における基準視力値となるため、小数視力値０．７のランドルト環を使用している。
【００３２】
ひらがなチャート部５１は小数視力値０．１〜１．６（対数視力値＋１．０〜−０．２）のものが５枚に分かれて用意されているが、各チャート部における視標構成はランドルト環のものと同じであるので説明を省略する。
【００３３】
次に、これらのチャート部上の視標に所期するマスクをかけるためのマスク板２２の詳細を図５に示し、説明する。また、ここで示される一点鎖線は、チャート部における長手、短手方向に対する中心線とする。
【００３４】
６０はマスクをかけず、チャート面全体を呈示させるための開口部である。６１はチャート部５０ｊ〜５０ｍ等のように３行×５列の視標が形成されているものににおいて、その横方向（同一視力値が表示される方向）に対して上段、中段、下段をそれぞれ別に呈示させるための開口部（横マスク）である。６２は同じく３行×５列の視標が形成されているチャート部において、縦方向（異なる視力値が表示される方向）に対して左端、中央、右端の３列を各々別に呈示させる開口部（縦マスク）である。
【００３５】
６３はランドルト環が１行×２列で形成されているチャート部５０ｅ、５０ｆにおいてそれぞれの視標を個別に呈示させるための開口部（１文字マスク）、６４はチャート部５０ｇ〜５０ｉ等のように１つのチャート面に１行×３列で視標が形成されているものにおいて、それぞれの視標を個別に呈示させるための開口部（１文字マスク）である。また、６５はチャート部５０ｊ〜５０ｍ等のように１つのチャート部に３行×５列で視標が形成されているものにおいて、それぞれの視標を個別に呈示させるための開口部（１文字マスク）である。
【００３６】
ところで、上記のようにLogMAR視標を用いて細かな評価を行う場合、小数視力値０．２より低い視力値視標（大きな視標）の種類が多く必要となる。また、正確な視力値を求めるためには、同一視力値の異なる視標をできるだけ多く用意することが望ましい。したがって、本実施形態では視標の大きさにより１つのチャート部に１個しか形成できないものは、少なくとも２つのチャート部を使用することにより、同一視力値で異なる視標を２つ確保する。１つのチャート部に同一視力値の視標を複数個形成できる場合には、隣り合う視標どうしの間隔を検査に支障が出ない程度に保ちつつ、１つのチャート部に形成可能な最大個数を形成するものとした（ただし、上限を５個とした）。
【００３７】
また、一方で、LogMAR視標で求められる低視力の視標を増加させつつ、１つのチャート部に異なる視標をできるだけ多く形成すると、１つのチャート部上に形成する視標の構成パターンの種類が増えてしまう。このため、その構成パターンを工夫しないとマスク板２２上に形成する開口部は、従来に比べさらに多くのものが必要となってしまうこととなる。すなわち、１つのチャート部に異なる視標をできるだけ多く形成した場合、例えば、１行×１列、１行×２列、２行×３列、３行×５列の構成パターンが可能であるが、これでは全てに１文字マスク、横マスクを掛ける場合に多くの種類のマスクが必要で、１枚のマスク板ディスクで作成することが難しくなる。
【００３８】
そこで、本実施形態では上記で示した如く、チャート部５０ｊ〜５０ｍのようにサイズの小さな視標は１つのチャート部上に３行×５列で構成し、サイズの大きな視標はすべて１つのチャート部上に１行で構成した。これにより、低視力の視標を多くしたチャート部の構成においても、マスク種類の増加をできるだけ抑えつつ、全てのチャート部に対して視力値別の横１列の呈示及び１文字呈示が可能となり、１枚のディスクにマスクを効率良く使用できる。
【００３９】
次に、リモコン４０の詳細を図７に示し、その構成を説明する。
【００４０】
４１は電源スイッチ、４２は視標（チャート部の画面）の選択を行うための視標切替スイッチ群、４３は視標にかけるマスクの種類を選択するマスク用スイッチ、４４は被検眼の高さ位置を合せる際の位置検出の赤外光信号を送信したりマニュアル操作にてモータ２９を駆動し、視標光路を変えるための光路変更スイッチ群である。４６は装置本体１に呈示される視標やその視標の視力値を表示する表示部である。４７はマスク位置を変更させて呈示する視標を変える変更スイッチである。４８は表示部４６に表示される視力値を小数表示か対数表示かに切り替える切替スイッチである。
【００４１】
４９は呈示視標に対する被検者の応答の正誤を入力すると共に、後述する視力検査プログラムを実行するためのスイッチを兼ねるオートスイッチである。オートスイッチ４９には正答したときに使用するＹＥＳスイッチと、誤答又はわからない場合に使用するＮＯスイッチが備わっている。また、視標の呈示をリモコン４０の前部には赤外光によるパルス信号を送受信するための、送受信部４０ａが設けられている。
【００４２】
以上のような構成における装置の動作を、図８の電気系ブロック図を使用して説明する。
【００４３】
被検者を装置本体１の正面の所定位置（本形態では窓２との距離が０．９ｍの距離）に位置させた後、検者はリモコン４０を操作して視力検査を行う。所望する視標は視標切替スイッチ群４２、マスク用スイッチ４３及び変更スイッチ４７を操作して呈示する。リモコン送受信部４０ａから発せられた視標及びマスク情報の信号は、送受信窓４を通して装置本体１内部に設置されている受光部３１で受信される。受光部３１で受信された信号は、信号処理回路３３を通して演算・制御部３０に送られる。演算・制御部３０は信号処理回路３３からの信号に基づいて受信した信号に対応するチャート部及びマスク用の開口部を光路中にセットすべくモータ２１，２３を駆動させる。また、演算・制御部３０は呈示した視標に対応する視標情報を、信号処理回路３４を通じて発光部３２から送信する。送信された視標情報に関する信号はリモコン側の送受信部４０ａにて受信される。受信された視標情報は表示部４６にて視力値とともに表示され、これによって表示内容と呈示視標の食い違いを防止する。
【００４４】
次に、オートスイッチ４９を使用して被検者の応答の正誤を入力するだけで、自動的に次の視力視標が呈示される自動検査について説明する。
【００４５】
検者は視標切替スイッチ群４２、マスク用スイッチ４３及び変更スイッチ４７を操作して、被検者に適すると思われる視標を１文字呈示する。被検者には呈示された視標の判読結果を答えてもらう。検者は呈示視標に対する被検者からの応答の正誤を確認し、その結果に対してオートスイッチ４９のＹＥＳスイッチ又はＮＯスイッチを押す。これにより以下に説明する自動検査のプログラムが実行される。また、オートスイッチ４９にて入力される正誤情報はすべてメモリ３５記録され、その後の判定ルーチンや被検者の最終視力値の算出に使用される。
【００４６】
以下に、本実施形態における自動検査プログラムの判定ルーチンを図１１、図１２、図１３に示すとともに、この判定ルーチンを使用して視力値を求める手法の例を図９に示して説明する。なお、この自動検査プログラムは演算・制御部３０が持つ記憶回路に記憶されている。
【００４７】
図９において、その左端に示す数字（−０．２〜＋０．３）は、呈示する視標の対数視力値を表す。また、「○」は正答、「×」は誤答又は視標の切れ目が判らなかった場合を示し、丸枠で囲まれた数字は検査順序を示す。
【００４８】
まず、呈示視標（図９の例では初めの呈示視標を対数視力値＋０．３とした）に対して正答であった場合（ＹＥＳのスイッチが押された場合）に従って判定され、次の呈示視標が定められる。まず、演算・制御部３０はLog判定中であるかを確認する（STEP１）。Log判定中とは、複数回の視標判別解答により、被検者が同一視力値において過半数の正答が得られた視力段階（視力値）の最大値と、過半数の正答が得られなかったとされる視力段階の最小値とがすでに決定されており、後はこの２つの視力段階において、呈示されていない残りの視標の判別を行うのみの状態であることをいう。
【００４９】
ここでは、初めての視標判別であるため、Log判定中とはならない。次に、現在呈示している視力段階の視標から２段階（対数視力値で＋０．２分）下がった後の視標であるか否かが判定され（STEP２）、２段階下がった後の視標でない場合には、さらに今までの検査において一度も誤答していないかが判定される（STEP３）。
【００５０】
ここで、一度も誤答をしていない場合には、次に、現在表示されている視力段階が最大視力値から１段階下がった視力値（対数視力値で＋１．３）か否かの判定、最大視力値（対数視力値で＋１．４）か否かの判定が行われる（STEP４、STEP５）。
【００５１】
STEP４、５において何れもＮＯであると、演算・制御部３０は視標ディスク板、マスク板２２を回転して視力段階が２段階高い１文字マスクが掛けられた視標（対数視力値＋０．１の視標）を被検者に呈示する（STEP６）。この視力段階も正答した場合、先程と同じSTEPを経て、さらに視力段階が２段階上げられる。
【００５２】
次に、この２段階上げられた視力値−０．１の視標にて誤答をした場合、検者はオートスイッチ４９のＮＯスイッチを押す。ＮＯスイッチが押されると、図１２に示すフローチャート（ＮＯが押された時の判定ルーチン）に従って判定され、次ぎの呈示視標が定められる。図１１と同じようにSTEP１′を経た後、視力段階が２段階上がっているかが判定される（STEP２′）。この場合、２段階上げられた後であるため、演算・制御部３０は視標の視力段階を１段階下げ、対数視力値０の視標を被検者に呈示する（STEP７′）。
【００５３】
次に、対数視力値０の視標にて正答が得られると、図１１の判定ルーチンに従って判定が行われる。STEP１、２を経た後、STEP３の判定に移る。対数視力値−０．１にて誤答があったため、その視力段階で正答が３回あるか否かが判定される（STEP８）。ここでは３回正答していないため、演算・制御部３０は同じ視力段階の別の視標を呈示する。
【００５４】
このようにして、対数視力値０における視標判別が行われ、その視力段階にて正答が３回行われるとSTEP８を経た後、その視標が最大視力値（対数視力値−０．３）か否かが判定され（STEP９）、最大視力値でなければ視力段階を１段階上げる（対数視力値０から対数視力値−０．１にする  STEP１０）。
【００５５】
次に、１段階上がった視力段階にて誤答が３回あったかが判定され（STEP１１）、なければ前回呈示された視標と異なる視標が被検者に呈示される。呈示された視標を正答すると、図１１の判定ルーチンに従って、同じ視力段階の異なる視標が呈示される。次にこの呈示された視標を誤答すると、図１２の判定ルーチンに従って、同じ視力段階の異なる視標が呈示される。
【００５６】
このようにして、対数視力値−０．１にて視標を何回か判別して行き、誤答が３回目になるとSTEP１′〜３′、STEP８′、STEP９′を経て視力段階が１段階下げられたあと（STEP１０′）、正答が３回あるか判定され（STEP１１′）、正答が３回あれば、その視力段階からLog判定ルーチンを行う。
【００５７】
図１３にLog判定ルーチンのフローチャートを示す。すでに対数視力値０にて５個ある視標のうち、その過半数である３回の正答が得られるとともに、対数視力値−０．１にて５個ある視標のうち、その過半数である３回の誤答が得られているため、次の視標判別からはすべてLog判定中の扱いとなる。
【００５８】
このLog判定ルーチンでは、正答が３回ある視力段階から未呈示の視標を順次呈示していき、すべての視標（ここでは５個）が呈示された後、次に、誤答が３回ある視力段階（１段階上げられた視力段階）の未呈示の視標をすべて呈示させ、判別させるものである。
【００５９】
このようにして、正答が３回得られた視力段階と、誤答が３回得られた視力段階との２つの視力段階において、すべての視標の判別（正誤）が得られると、演算・制御部３０はメモリ３５に記録した正誤答情報より、被検者の視力値を演算する。
【００６０】
本実施形態における視力値の演算方法は、以下のように行う。同視力値に５個の視標がある場合、視標１個に対し０．０２分の対数視力値を持たせる。同視力値（視力段階）における全視標が正答であった場合には、その視力段階の視力値が得られるものとする。誤答があった場合には、その視力段階の視力値に誤答の数だけ対数視力値０．０２分を加えていく。これを判別できた最大の視力段階と、判別できなかった最小の視力段階とに当てはめることにより、それら２つの視力段階にてさらに細かな視力値を求める。求めた２つの視力値を平均することにより、最終視力値を求め、これを被検者がもつ視力値とする。
【００６１】
図９に示す例では、判別できた最大の視力段階である対数視力値０にて正答４回、誤答１回であるため、この視力段階での細かな視力値は０＋０．０２×１＝０．０２となる。一方、判別できなかった最小の視力段階である対数視力値−０．１にて正答２回、誤答３回であるため、この視力段階での細かな視力値は−０．１＋０．０２×３＝−０．０４となる。これら２つの視力値の平均をとり、被検者の最終視力値は−０．０１となる。
【００６２】
この結果は表示部４６に対数視力値−０．０１として表示される。対応する小数視力が知りたい場合には、切替スイッチ４８を使用することによって演算・制御部３０が対数視力値を対応する小数視力値に変換し、表示部４６に表示する（小数視力値１．０２３）。
【００６３】
以上のように、判別できた最大の視力段階におけるすべての視標の正誤情報（正答率）と、判別できなかった最小の視力段階におけるすべての視標の正誤情報とを用いて、被検者の視力値を求めるため、従来の視力値判定に比べ、細かく正確な視力値を得ることができる。
【００６４】
本実施の形態では、視標５個のうち３個の正誤をもとにその視力段階が判別できたか否かを判断しているが、これに限るものではなく、ある視力段階において用意された視標の正答が過半数（又は６０％以上）を得られていれば判別できた／できないを判断すればよい。また、視標が２個しかない場合には全部（２個）を正答した場合のみ、その視力段階が判別できたとすればよい。
【００６５】
また、被検者の応答により自動的に次の視標を呈示する場合、最終的に判別できた最大の視力段階と、判別できなかった最小の視力段階とが決定できるとともに、その２つの視力段階におけるすべての視標の正誤情報が得られるような検査手順であれば、これに限るものではない。
【００６６】
例えば、図１０に示すように、ある視標（対数視力値−０．１）を誤答したとき、視力段階を１段階下げて、その視力段階の視標（対数視力値０）をすべて判別させた後、先程誤答した視力段階の視標（対数視力値−０．１）をすべて判別させるという方法もできる。この場合、対数視力値０にて先に３回誤答があれば、さらに視力段階を１段階下げて同じように行えば良い。
【００６７】
以上の実施形態では省スペースにて視標の呈示が行える視力検査装置を例にして説明したが、これに限るものではなく、電気的な制御により視標を個別に呈示できる視力検査装置であればよい。
【００６８】
また、被検者の応答結果はジョイスティックで入力しても良く、この場合、自動検査プログラムを呈示視標に対する正誤の判定まで行うようにしておけば、さらに検査を容易に行える。
【００６９】
【発明の効果】
以上説明したように、本発明によれば、視力検査の正確性が向上すると共に、細かな評価を簡単に行える。
【図面の簡単な説明】
【図１】装置本体を示す図である。
【図２】装置本体内部に配置される光学系を示す図である。
【図３】装置本体内部に配置される光学系を示す図である。
【図４】視標ディスク板２０の詳細を示す図である。
【図５】マスク板２２の詳細を示す図である。
【図６】ランドルト環チャート部５０の詳細を示す図である。
【図７】リモコン４０の詳細を示す図である。
【図８】電気系ブロック図である。
【図９】視力値を求める手法の一例を示した図である。
【図１０】視力値を求める手法の一例を示した図である。
【図１１】ＹＥＳスイッチが押された時の判定ルーチンを示すフローチャートである。
【図１２】ＮＯスイッチが押された時の判定ルーチンを示すフローチャートである。
【図１３】  Log判定ルーチンを示すフローチャートである。
【符号の説明】
１  装置本体
２  窓
４  送信窓
２０  視標ディスク板
２１  モータ
２２  マスク板
２３  モータ
３０  演算・制御部
４０  リモコン
４９  オートスイッチ
【図１】
0003664938.tif 000002
【図２】
0003664938.tif 000003
【図３】
0003664938.tif 000004
【図４】
0003664938.tif 000005
【図５】
0003664938.tif 000006
【図６】
0003664938.tif 000007
【図７】
0003664938.tif 000008
【図８】
0003664938.tif 000009
【図９】
0003664938.tif 000010
【図１０】
0003664938.tif 000011
【図１１】
0003664938.tif 000012
【図１２】
0003664938.tif 000013
【図１３】
0003664938.tif 000014